(57)【特許請求の範囲】
【請求項１】
タイヤの状態を検出する機能を有する機能部品を前記タイヤの内面に取り付ける取付構造体であって、
弾性部材によって構成されており、前記タイヤの内面に接着される台座下面と、前記台座下面の反対側に設けられる台座上面とを有する台座と、
所定の剛性を有する部材によって構成されており、前記台座上面に配置される枠体下面及び前記枠体下面の反対側に設けられる枠体上面を有する底板を有する枠体と、
所定の剛性を有する部材によって構成されており、前記機能部品が載置される基体と、
所定の剛性を有する部材によって構成されており、前記枠体に挿入される挿入片とによって構成されており、
前記枠体上面は、第１方向と、前記第１方向に交差する第２方向とによって定義されており、
前記枠体は、前記枠体上面において、前記第１方向に沿って延びており、前記枠体上面に対する垂直方向に立設する１対の第１方向側壁と、前記第２方向に沿って延びており、前記枠体上面に対する垂直方向に立設する１対の第２方向壁体とを有しており、
前記１対の第１方向側壁は、前記枠体上面に対する垂直方向の先端として、他の第１方向側壁側に向けて曲がる側壁係止片を有しており、
前記基体は、前記１対の第１方向側壁の間に嵌合し、前記１対の第２方向壁体の間に嵌合するように、前記枠体上面に配置されており、
前記挿入片は、前記基体と前記側壁係止片との間に嵌合するように、前記第１方向に沿って挿入されることを特徴とする取付構造体。
【請求項２】
前記挿入片は、前記第１方向に沿って延びる１対のアーム部と前記１対のアーム部の根本を連結する連結部とによって構成されるＵ字形状を有しており、
前記第１方向において、前記１対のアーム部の長さは、前記１対の第１方向側壁の長さと略等しく、
前記１対のアーム部は、前記１対のアーム部の先端として、前記挿入片の外側に折り返される先端折返し片を有することを特徴とする請求項１に記載の取付構造体。
【請求項３】
前記垂直方向において、前記枠体上面から前記側壁係止片までの高さは、前記基体の高さ及び前記１対のアーム部の高さの合計と等しいことを特徴とする請求項２に記載の取付構造体。
【請求項４】
前記連結部は、前記１対のアーム部の根本から前記挿入片の外側に張り出す張り出し部分を有することを特徴とする請求項２に記載の取付構造体。
【請求項５】
前記垂直方向において、前記１対の第１方向側壁の高さは、前記１対の第２方向壁体のいずれか一方の高さよりも大きいことを特徴とする請求項２に記載の取付構造体。
【請求項６】
前記１対のアーム部において、前記第１方向に対する直交方向の厚みは、前記垂直方向における高さよりも小さいことを特徴とする請求項２に記載の取付構造体。
【請求項７】
前記機能部品と前記基体との間に首部が設けられており、
前記第１方向に対する直交方向において、前記首部のサイズは、前記機能部品及び前記基体のサイズよりも小さく、
前記側壁係止片は、首部の位置で曲がっており、前記機能部品と前記基体との間に嵌合するように配置されることを特徴とする請求項２に記載の取付構造体。
【発明の詳細な説明】
【技術分野】
【０００１】
本発明は、タイヤの状態を検出する機能を有する機能部品をタイヤの内面に取り付ける取付構造体に関する。
【背景技術】
【０００２】
従来、１対のビードコアと、１対のビードコア間に跨るトロイダル形状を有するカーカス層と、カーカス層に隣接して配置されるベルト層と、ビードコア、カーカス層及びベルト層を被覆するゴム層とを備えるタイヤが知られている。
【０００３】
タイヤは、ビードコアを有するビード部と、接地面を構成するトレッド部と、タイヤの側面を形成するサイドウォール部と、サイドウォール部とトレッド部との間に跨って設けられるショルダー部とを備える。
【０００４】
また、タイヤの内面を構成するゴム層（インナーライナー）に取り付けられる機能部品が知られている。機能部品は、例えば、タイヤの内部の温度や圧力などを計測するセンサモジュールである。一般的には、機能部品は、ゴムパッチなどによってインナーライナーに取り付けられる（例えば、特許文献１）。
【先行技術文献】
【特許文献】
【０００５】
【特許文献１】特開2007-055347号公報
【発明の概要】
【発明が解決しようとする課題】
【０００６】
近年では、タイヤと路面との間の摩擦によって生じる高周波振動を検出するセンサを機能部品としてタイヤの内面に取り付ける要望が存在する。しかしながら、上述した技術では、ゴムパッチの張力によって機能部品をタイヤの内面に取り付けているため、タイヤの振動によって機能部品が動いてしまい、高周波振動を検出することが難しい。
【０００７】
そこで、本発明は、上述した課題を解決するためになされたものであり、高周波振動などを検出できるように機能部品をタイヤの内面に取り付けることを可能とする取付構造体を提供することを目的とする。
【課題を解決するための手段】
【０００８】
第１の特徴に係る取付構造体は、タイヤの状態を検出する機能を有する機能部品を前記タイヤの内面に取り付ける構造体である。取付構造体は、弾性部材によって構成されており、前記タイヤの内面に接着される台座下面と、前記台座下面の反対側に設けられる台座上面とを有する台座と、所定の剛性を有する部材によって構成されており、前記台座上面に配置される枠体下面及び前記枠体下面の反対側に設けられる枠体上面を有する底板を有する枠体と、所定の剛性を有する部材によって構成されており、前記機能部品が載置される基体と、所定の剛性を有する部材によって構成されており、前記枠体に挿入される挿入片とによって構成される。前記枠体上面は、第１方向と、前記第１方向に交差する第２方向とによって定義される。前記枠体は、前記枠体上面において、前記第１方向に沿って延びており、前記枠体上面に対する垂直方向に立設する１対の第１方向側壁と、前記第２方向に沿って延びており、前記枠体上面に対する垂直方向に立設する１対の第２方向壁体とを有する。前記１対の第１方向側壁は、前記枠体上面に対する垂直方向の先端として、他の第１方向側壁側に向けて曲がる側壁係止片を有する。前記基体は、前記１対の第１方向側壁の間に嵌合し、前記１対の第２方向壁体の間に嵌合するように、前記枠体上面に配置される。前記挿入片は、前記基体と前記側壁係止片との間に嵌合するように、前記第１方向に沿って挿入される。
【０００９】
第１の特徴において、前記挿入片は、前記第１方向に沿って延びる１対のアーム部と前記１対のアーム部の根本を連結する連結部とによって構成されるＵ字形状を有する。前記第１方向において、前記１対のアーム部の長さは、前記１対の第１方向側壁の長さと略等しい。前記１対のアーム部は、前記１対のアーム部の先端として、前記挿入片の外側に折り返される先端折返し片を有する。
【００１０】
第１の特徴において、前記垂直方向において、前記枠体上面から前記側壁係止片までの高さは、前記基体の高さ及び前記１対のアーム部の高さの合計と等しい。
【００１１】
第１の特徴において、前記連結部は、前記１対のアーム部の根本から前記挿入片の外側に張り出す張り出し部分を有する。
【００１２】
第１の特徴において、前記垂直方向において、前記１対の第１方向側壁の高さは、前記１対の第２方向壁体のいずれか一方の高さよりも大きい。
【００１３】
第１の特徴において、前記１対のアーム部において、前記第１方向に対する直交方向の厚みは、前記垂直方向における高さよりも小さい。
【００１４】
第１の特徴において、前記機能部品と前記基体との間に首部が設けられる。前記第１方向に対する直交方向において、前記首部のサイズは、前記機能部品及び前記基体のサイズよりも小さい。前記側壁係止片は、首部の位置で曲がっており、前記機能部品と前記基体との間に嵌合するように配置される。
【発明の効果】
【００１５】
本発明によれば、高周波振動などを検出できるように機能部品をタイヤの内面に取り付けることを可能とする取付構造体を提供することができる。
【図面の簡単な説明】
【００１６】
【図１】図１は、第１実施形態に係るタイヤ１００を示す図である。
【図２】図２は、第１実施形態に係るタイヤ１００を示す図である。
【図３】図３は、第１実施形態に係る取付構造体２００を示す図である。
【図４】図４は、第１実施形態に係る枠体２２０を示す図である。
【図５】図５は、第１実施形態に係る枠体２２０を示す図である。
【図６】図６は、第１実施形態に係る枠体２２０を示す図である。
【図７】図７は、第１実施形態に係る挿入片２５０を示す図である。
【図８】図８は、第１実施形態に係る挿入片２５０を示す図である。
【図９】図９は、第１実施形態に係る取付構造体２００の組み付けを説明するための図である。
【図１０】図１０は、第１実施形態に係る取付構造体２００の組み付けを説明するための図である。
【図１１】図１１は、第１実施形態に係る取付構造体２００の組み付けを説明するための図である。
【図１２】図１２は、変更例１に係る機能部品２４０の首振り運動を説明するための図である。
【図１３】図１３は、変更例１に係る取付構造体２００を示す図である。
【図１４】図１４は、変更例１に係る枠体２２０を示す図である。
【発明を実施するための形態】
【００１７】
以下において、本発明の実施形態に係る取付構造体について、図面を参照しながら説明する。なお、以下の図面の記載において、同一又は類似の部分には、同一又は類似の符号を付している。
【００１８】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１９】
［実施形態の概要］
実施形態に係る取付構造体は、タイヤの状態を検出する機能を有する機能部品を前記タイヤの内面に取り付ける構造体である。取付構造体は、弾性部材によって構成されており、前記タイヤの内面に接着される台座下面と、前記台座下面の反対側に設けられる台座上面とを有する台座と、所定の剛性を有する部材によって構成されており、前記台座上面に配置される枠体下面及び前記枠体下面の反対側に設けられる枠体上面を有する底板を有する枠体と、所定の剛性を有する部材によって構成されており、前記機能部品が載置される基体と、所定の剛性を有する部材によって構成されており、前記枠体に挿入される挿入片とによって構成される。前記枠体上面は、第１方向と、前記第１方向に交差する第２方向とによって定義される。前記枠体は、前記枠体上面において、前記第１方向に沿って延びており、前記枠体上面に対する垂直方向に立設する１対の第１方向側壁と、前記第２方向に沿って延びており、前記枠体上面に対する垂直方向に立設する１対の第２方向壁体とを有する。前記１対の第１方向側壁は、前記枠体上面に対する垂直方向の先端として、他の第１方向側壁側に向けて曲がる側壁係止片を有する。前記基体は、前記１対の第１方向側壁の間に嵌合し、前記１対の第２方向壁体の間に嵌合するように、前記枠体上面に配置される。前記挿入片は、前記基体と前記側壁係止片との間に嵌合するように、前記第１方向に沿って挿入される。
【００２０】
実施形態では、基体は、１対の第１方向側壁の間に嵌合し、１対の第２方向壁体の間に嵌合するように、枠体上面に配置される。挿入片は、基体と側壁係止片との間に嵌合するように、第１方向に沿って挿入される。すなわち、枠体及び挿入片によって、第１方向、第２方向及び垂直方向の基体の動きが規制されるため、基体に載置される機能部品がタイヤの振動によって動かない。従って、高周波振動などを検出できるように機能部品をタイヤの内面に取り付けることができる。
【００２１】
［第１実施形態］
（タイヤの構成）
以下において、第１実施形態に係るタイヤの構成について説明する。図１及び図２は、第１実施形態に係るタイヤ１００を示す図である。
【００２２】
第１に、タイヤ１００は、図１に示すように、ビード部１０と、サイドウォール部２０と、ショルダー部３０と、トレッド部４０とを有する。
【００２３】
ビード部１０は、タイヤ１００を構成する部位のうち、タイヤ径方向において、最も内側に設けられる。ビード部１０は、タイヤ周方向に沿って連続的に設けられる。ビード部１０は、タイヤ１００をリムに固定するための部位である。なお、ビード部１０は、ゴムによって被覆されている。
【００２４】
サイドウォール部２０は、タイヤ１００を構成する部位のうち、タイヤ径方向において、ビード部１０よりも外側に設けられる。サイドウォール部２０は、タイヤ周方向に沿って連続的に設けられる。サイドウォール部２０は、タイヤ１００の側面を構成する。なお、サイドウォール部２０は、ゴムによって被覆されている。
【００２５】
ショルダー部３０は、タイヤ１００を構成する部位のうち、サイドウォール部２０とトレッド部４０との間に跨って設けられる。ショルダー部３０は、タイヤ周方向に沿って連続的に設けられる。なお、ショルダー部３０は、ゴムによって被覆されている。
【００２６】
トレッド部４０は、タイヤ１００を構成する部位のうち、路面に接地する接地面を構成する部位である。トレッド部４０は、タイヤ周方向に沿って連続的に設けられる。トレッド部４０の接地面には、例えば、タイヤ周方向に沿って延びる溝（周方向溝）やタイヤ幅方向に沿って延びる（幅方向溝）などによって形成されるトレッドパターンが設けられている。
【００２７】
第２に、タイヤ１００は、図１及び図２に示すように、ビードコア１１０と、カーカス層１２０と、ベルト層１３０とを有する。
【００２８】
ビードコア１１０は、ビードコア１１０Ａ及びビードコア１１０Ｂを有しており、ビード部１０を構成する。ビードコア１１０は、リング状形状を有しており、ビードワイヤー（不図示）によって構成される。
【００２９】
カーカス層１２０は、ビードコア１１０Ａとビードコア１１０Ｂとの間に跨るトロイダル形状を有する。カーカス層１２０は、例えば、タイヤ径方向（或いは、タイヤ幅方向）に沿って延びる複数のカーカスコード（不図示）によって構成される。カーカス層１２０は、ビードコア１１０でタイヤ幅方向の外側に向けて折り返されている。
【００３０】
ベルト層１３０は、ベルト層１３０Ａ及びベルト層１３０Ｂを有しており、トレッド部４０を構成する。ベルト層１３０は、カーカス層１２０に対して、タイヤ径方向の外側に配置される。ベルト層１３０は、ベルトコードがゴムで被覆された構成を有する。ベルト層１３０Ａに設けられるベルトコードは、ベルト層１３０Ｂに設けられるベルトコードと交錯していてもよい。
【００３１】
（取付構造体の構成）
以下において、第１実施形態に係る取付構造体の構成について説明する。図３は、第１実施形態に係る取付構造体２００を示す図である。ここで、取付構造体２００は、タイヤ１００の内面に接着されることに留意すべきである。詳細には、取付構造体２００は、タイヤ周方向に沿って延びるタイヤ１００の内面、すなわち、トレッド部４０を構成するタイヤ１００の内面に接着される。
【００３２】
図３に示すように、取付構造体２００は、台座２１０と、枠体２２０と、基体２３０と、機能部品２４０と、挿入片２５０とを有する。
【００３３】
台座２１０は、弾性部材（エラストマー）によって構成される。例えば、台座２１０は、天然ゴムや合成ゴムによって構成される。台座２１０は、タイヤ１００の内面に接着される台座下面と、台座下面の反対側に設けられる台座上面とを有する。例えば、台座２１０は、加硫接着によってタイヤ１００の内面に接着される。台座２１０の台座上面には、枠体２２０及び基体２３０を介して機能部品２４０が設けられる。
【００３４】
枠体２２０は、所定の剛性を有する部材によって構成される。枠体２２０は、台座２１０の台座上面に配置される。例えば、枠体２２０の表面には、真鍮メッキが施されており、台座２１０は、コバルトを含んでおり、枠体２２０は、加硫接着によって台座２１０に接着される。
【００３５】
第１実施形態では、枠体２２０は、基体２３０を収容する箱形形状を有する。なお、枠体２２０の詳細については後述する（図４〜図６を参照）。
【００３６】
基体２３０は、所定の剛性を有する部材によって構成される。基体２３０には、機能部品２４０が載置される。第１実施形態では、基体２３０は、略直方体形状を有しており、枠体２２０に収容される。
【００３７】
機能部品２４０は、タイヤ１００の状態を検出する機能を有する。機能部品２４０は、例えば、タイヤ１００の内圧を検出する圧力センサ、タイヤ１００の内部温度を検出する温度センサ、タイヤ１００の回転速度を検出する加速度センサなどである。
【００３８】
挿入片２５０は、所定の剛性を有する部材によって構成される。挿入片２５０は、枠体２２０に挿入され、枠体２２０に収容される基体２３０の動きを規制する。第１実施形態では、挿入片２５０は、Ｕ字形状を有しており、タイヤ１００の内面に対する垂直方向において基体２３０の動きを規制する。なお、挿入片２５０の詳細については後述する（図７及び図８を参照）。
【００３９】
（枠体の構成）
以下において、第１実施形態に係る枠体の構成について説明する。図４は、第１実施形態に係る枠体２２０を示す図である。
【００４０】
図４に示すように、枠体２２０は、底板２２１と、１対の第１壁体２２２（第１壁体２２２Ａ及び第１壁体２２２Ｂ）と、１対の側壁係止片２２３（側壁係止片２２３Ａ及び側壁係止片２２３Ｂ）と、第２壁体２２４と、第２壁体２２５とを有する。
【００４１】
底板２２１は、台座上面に配置される枠体下面及び枠体下面の反対側に設けられる枠体上面を有する。枠体上面は、第１方向と、第１方向に交差する第２方向とによって定義される。底板２２１の枠体上面上には、基体２３０が載置される。なお、第１実施形態では、底板２２１は、板状形状を有しており、矩形形状の枠体上面を有する。
【００４２】
第１壁体２２２Ａ及び第１壁体２２２Ｂは、底板２２１に設けられる。第１壁体２２２Ａ及び第１壁体２２２Ｂは、底板２２１に対する垂直方向に立設する形状を有する。第１壁体２２２Ａ及び第１壁体２２２Ｂは、第１方向に沿って延びる。第１壁体２２２Ａ及び第１壁体２２２Ｂは、第１方向に交差する第２方向において間隔を空けて設けられる。
【００４３】
第１実施形態において、第１壁体２２２Ａは、底板２２１に対する垂直方向の先端として、第２方向において第１壁体２２２Ｂ側に向けて曲がる側壁係止片２２３Ａを構成する。側壁係止片２２３Ａは、第１方向に沿って延びる。同様に、第１壁体２２２Ｂは、底板２２１に対する垂直方向の先端として、第２方向において第１壁体２２２Ａ側に向けて曲がる側壁係止片２２３Ｂを構成する。側壁係止片２２３Ｂは、第１方向に沿って延びる。
【００４４】
第２壁体２２４は、底板２２１に設けられる。第２壁体２２４は、底板２２１に対する垂直方向に立設する形状を有する。第２壁体２２４は、第２方向に沿って延びる。第１実施形態では、第２壁体２２４は、板状形状を有しており、第１方向において底板２２１の一端に設けられる。
【００４５】
第２壁体２２５は、底板２２１に設けられる。第２壁体２２５は、底板２２１に対する垂直方向に立設する形状を有する。第２壁体２２５は、第２方向に沿って延びる。第１実施形態では、第２壁体２２５は、板状形状を有しており、第１方向において底板２２１の他端に設けられる。
【００４６】
なお、第２壁体２２４及び第２壁体２２５は、第１方向において間隔を空けて設けられる。第１実施形態では、第１方向に沿って基体２３０を挿入するために、垂直方向において、第２壁体２２４及び第２壁体２２５のうち、少なくとも一方の高さは、第１壁体２２２の高さよりも小さいことが好ましい。
【００４７】
このように、第１実施形態では、底板２２１、第１壁体２２２、第２壁体２２４及び第２壁体２２５によって箱形形状が構成される。
【００４８】
第１実施形態では、第１方向がタイヤ幅方向となるように、取付構造体２００がタイヤ１００に接着されるケースについて例示する。以下においては、説明を明確にするために、第１方向をタイヤ幅方向と称し、第２方向をタイヤ周方向と称し、垂直方向をタイヤ径方向と称する。
【００４９】
（枠体の寸法）
以下において、第１実施形態に係る枠体の寸法について説明する。図５及び図６は、第１実施形態に係る枠体２２０を示す図である。なお、図５及び図６は、基体２３０が枠体２２０に収容された状態を示している。
【００５０】
図５に示すように、タイヤ径方向において、枠体２２０の枠体上面から側壁係止片２２３までの高さはＨ２２３である。タイヤ径方向において、基体２３０の高さはＨ２３０である。高さＨ２２３と高さＨ２３０との差分は、Ｄ１である。タイヤ周方向において、基体２３０の長さは、Ｌ２３０である。
【００５１】
第１実施形態において、タイヤ周方向において、１対の第１壁体２２２の間隔は、基体２３０の長さＬ２３０と等しい。従って、１対の第１壁体２２２によって、タイヤ周方向に対する基体２３０の動きが規制される。言い換えると、基体２３０は、１対の第１壁体２２２の間に嵌合するように枠体２２０の枠体上面に配置される。
【００５２】
なお、後述するように、タイヤ径方向において、差分Ｄ１は、挿入片２５０に設けられる１対のアーム部の高さと等しい。従って、１対のアーム部によって、タイヤ径方向に対する基体２３０の動きが規制される。
【００５３】
図６に示すように、タイヤ径方向において、第２壁体２２４及び第２壁体２２５の高さは、Ｈ２２５である。タイヤ幅方向において、基体２３０の幅は、Ｗ２３０である。
【００５４】
第１実施形態において、タイヤ幅方向において、第２壁体２２４及び第２壁体２２５の間隔は、基体２３０の幅Ｗ２３０と等しい。従って、第２壁体２２４及び第２壁体２２５によって、タイヤ幅方向に対する基体２３０の動きが規制される。
【００５５】
第１実施形態では、高さＨ２２３と高さＨ２２５との差分は、基体２３０の高さＨ２３０よりも大きいことが好ましい。これによって、タイヤ幅方向に沿って基体２３０を枠体２２０内に挿入することが容易である。
【００５６】
（挿入片の構成）
以下において、第１実施形態に係る挿入片の構成について説明する。図７及び図８は、第１実施形態に係る挿入片２５０を示す図である。なお、図７は、枠体２２０に挿入片２５０を取り付けた後の状態を示しており、図８は、枠体２２０に挿入片２５０を取り付ける前の状態を示している。
【００５７】
図７及び図８に示すように、挿入片２５０は、１対のアーム部２５１（アーム部２５１Ａ及びアーム部２５１Ｂ）と、１対の先端折返し片２５２（先端折返し片２５２Ａ及び先端折返し片２５２Ｂ）と、連結部２５３と、１対の張り出し部分２５４（張り出し部分２５４Ａ及び張り出し部分２５４Ｂ）とを有する。
【００５８】
アーム部２５１Ａ及びアーム部２５１Ｂは、タイヤ幅方向に沿って延びる。また、アーム部２５１Ａ及びアーム部２５１Ｂは、タイヤ周方向において可撓性を有する。例えば、アーム部２５１Ａ及びアーム部２５１Ｂは、タイヤ周方向の厚みがタイヤ径方向の厚みよりも小さい平板形状を有する。
【００５９】
アーム部２５１Ａの先端は、タイヤ周方向において挿入片２５０の外側に曲がる先端折返し片２５２Ａを構成する。同様に、アーム部２５１Ｂの先端は、タイヤ周方向において挿入片２５０の外側に曲がる先端折返し片２５２Ｂを構成する。
【００６０】
アーム部２５１の本体と先端折返し片２５２とによって形成される角度θ１は、鋭角であることが好ましい。すなわち、角度θ１が鋭角となるようにアーム部２５１の先端（先端折返し片２５２）が折り返される。
【００６１】
先端折返し片２５２は、枠体２２０に挿入片２５０を取り付けた後において、第１壁体２２２に引っ掛かるように構成される。すなわち、先端折返し片２５２は、タイヤ幅方向に沿って挿入片２５０が抜けることを防止する機能を有する。
【００６２】
先端折返し片２５２は、枠体２２０に挿入片２５０を取り付けた後において、挿入片２５０がタイヤ幅方向のＡ側に抜けることを抑制する。
【００６３】
連結部２５３は、アーム部２５１Ａ及びアーム部２５１Ｂの根本を連結する部位である。連結部２５３は、アーム部２５１Ａの根本からタイヤ周方向において挿入片２５０の外側に曲がる張り出し部分２５４Ａを有する。同様に、連結部２５３は、アーム部２５１Ｂの根本からタイヤ周方向において挿入片２５０の外側に曲がる張り出し部分２５４Ｂを有する。
【００６４】
アーム部２５１の本体の延長線と張り出し部分２５４とによって形成される角度θ２は、鋭角であることが好ましい。すなわち、角度θ２が鋭角となるように、アーム部２５１の根本に連続する部位（張り出し部分２５４）が折曲げられる。
【００６５】
張り出し部分２５４は、枠体２２０に挿入片２５０を取り付けた後において、挿入片２５０がタイヤ幅方向のＢ側に入り込むことを防止する機能を有する。一方で、枠体２２０から挿入片２５０を外す際には、タイヤ幅方向のＢ側に挿入片２５０を動かすことによって、先端折返し片２５２の引っ掛かりを外すことができる。
【００６６】
ここで、タイヤ周方向において先端折返し片２５２の長さはＬ２５２である。タイヤ周方向において張り出し部分２５４の長さはＬ２５４である。長さＬ２５２は、長さＬ２５４と等しいことが好ましい。これによって、枠体２２０から挿入片２５０が抜けにくい。
【００６７】
また、タイヤ幅方向において、アーム部２５１の長さは、Ｗ２５１である。アーム部２５１の長さＷ２５１は、タイヤ幅方向における第１壁体２２２の長さと等しいことが好ましい。これによって、枠体２２０から挿入片２５０が抜けにくい。
【００６８】
なお、図８に示すように、枠体２２０に挿入片２５０を取り付ける前において、アーム部２５１の先端の間隔Ｇｔｉｐは、アーム部２５１の根本の間隔Ｇｒｏｏｔよりも大きいことが好ましい。アーム部２５１が有する可撓性によって、枠体２２０から挿入片２５０が抜けにくい。
【００６９】
（取付構造体の組み付け）
以下において、第１実施形態に係る取付構造体の組み付けについて説明する。図９〜図１１は、第１実施形態に係る取付構造体２００の組み付けを説明するための図である。
【００７０】
図９に示すように、機能部品２４０が載置された基体２３０を台座２１０の台座上面に取り付けられた枠体２２０に配置する。続いて、タイヤ幅方向に沿って挿入片２５０を挿入する。詳細には、挿入片２５０は、第１壁体２２２と機能部品２４０との間においてアーム部２５１がタイヤ幅方向に沿って挿入されるように配置される。これによって、図１０に示すように、取付構造体２００の組み付けが完了する。
【００７１】
なお、図１１に示すように、タイヤ径方向において、枠体２２０の枠体上面から側壁係止片２２３までの高さＨ２２３は、基体２３０の高さＨ２３０及びアーム部２５１の高さＨ２５１の合計と等しいことが好ましい。すなわち、アーム部２５１の高さＨ２５１は、高さＨ２２３と高さＨ２３０との差分Ｄ１と等しい。
【００７２】
（作用及び効果）
第１実施形態では、基体２３０は、１対の第１方向側壁（第１壁体２２２Ａ及び第１壁体２２２Ｂ）の間に嵌合し、１対の第２方向壁体（第２壁体２２４及び第２壁体２２５）の間に嵌合するように、枠体２２０の枠体上面に配置される。挿入片２５０は、基体２３０と側壁係止片２２３との間に嵌合するように、タイヤ幅方向に沿って挿入される。すなわち、枠体２２０及び挿入片２５０によって、タイヤ幅方向、タイヤ周方向及びタイヤ径方向の基体２３０の動きが規制されるため、基体２３０に載置される機能部品２４０がタイヤ１００の振動によって動かない。従って、高周波振動などを検出できるように機能部品２４０をタイヤ１００の内面に取り付けることができる。
【００７３】
具体的には、枠体２２０の枠体上面から側壁係止片２２３までの高さＨ２２３は、基体２３０の高さＨ２３０及びアーム部２５１の高さＨ２５１の合計と等しい。従って、挿入片２５０は、枠体２２０の枠体上面と側壁係止片２２３との間で、タイヤ径方向において基体２３０の動きを規制する。
【００７４】
第１実施形態では、挿入片２５０は、先端折返し片２５２及び張り出し部分２５４を有する。従って、挿入片２５０が枠体２２０から外れることを抑制することができる。
【００７５】
［変更例１］
以下において、第１実施形態の変更例１について説明する。以下においては、第１実施形態に対する差異について主として説明する。
【００７６】
変更例１では、機能部品と基体との間に首部が設けられる。タイヤ周方向において、首部のサイズは、機能部品及び基体のサイズよりも小さい。
【００７７】
（首振り運動）
以下において、変更例１に係る機能部品の首振り運動について説明する。図１２は、変更例１に係る機能部品２４０の首振り運動を説明するための図である。なお、図１２では、簡略化のために、枠体２２０、基体２３０及び挿入片２５０が省略されている。
【００７８】
図１２に示すように、タイヤ１００の内面に取付構造体２００が接着された状態において、タイヤ１００が路面に接地した際に、タイヤ１００の回転に伴って生じる向心力が取付構造体２００の部位によって異なる。
【００７９】
具体的には、タイヤ周方向（回転方向）において、取付構造体２００の前部分に相当するタイヤ１００が路面に接地しており、取付構造体２００の後部分に相当するタイヤ１００が路面に接地していないケースについて考える。このようなケースにおいて、取付構造体２００の前部分において向心力は、取付構造体２００の後部分の向心力に比べて小さい。従って、タイヤ周方向（回転方向）において、取付構造体２００に対して前側に倒れ込む応力が加わる。
【００８０】
同様に、タイヤ周方向（回転方向）において、取付構造体２００の前部分に相当するタイヤ１００が路面に接地しておらず、取付構造体２００の後部分に相当するタイヤ１００が路面に接地しているケースについて考える。このようなケースにおいて、取付構造体２００の後部分において向心力は、取付構造体２００の前部分の向心力に比べて小さい。従って、タイヤ周方向（回転方向）において、取付構造体２００に対して後側に倒れ込む応力が加わる。
【００８１】
タイヤ１００の回転に伴って、前側に倒れ込む応力や後側に倒れ込む応力が取付構造体２００に対して繰り返し加わると、取付構造体２００が前後に首を振るような挙動が生じる。
【００８２】
このような挙動に対して十分な剛性を保つために、変更例１に係る取付構造体２００は、以下に示す構成を有する。
【００８３】
（取付構造体の構成）
以下において、変更例１に係る取付構造体の構成について説明する。図１３は、第１実施形態に係る取付構造体２００を示す図である。
【００８４】
図１３に示すように、取付構造体２００は、図３に示す構成に加えて、首部２６０を有する。
【００８５】
タイヤ周方向において、首部２６０のサイズは、基体２３０及び機能部品２４０のサイズよりも小さい。なお、首部２６０は、基体２３０の一部と考えてもよく、機能部品２４０の一部と考えてもよい。
【００８６】
上述した１対のアーム部２５１は、図１４に示すように、タイヤ幅方向において、首部２６０の外側に挿入される。
【００８７】
図１４に示すように、タイヤ径方向において、首部２６０の高さがＨ２６０である。タイヤ径方向において、側壁係止片２２３の厚みがＴ２２３である。タイヤ径方向において、アーム部２５１の高さがＨ２５１である。
【００８８】
ここで、側壁係止片２２３は、首部２６０の位置で曲がっており、基体２３０と機能部品２４０との間に配置される。首部２６０の高さＨ２６０は、アーム部２５１の高さＨ２５１及び側壁係止片２２３の厚みＴ２２３の合計と等しいことが好ましい。これによって、機能部品２４０が側壁係止片２２３を押さえる機能を果たすため、上述した首振り運動に対して十分な剛性を保つことができる。言い換えると、側壁係止片２２３がタイヤ径方向に持ち上がってタイヤ周方向の外側に拡がってしまうことが抑制される。
【００８９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９０】
実施形態では、第１方向がタイヤ幅方向となるように、取付構造体２００がタイヤ１００に接着されるケースについて例示した。しかしながら、実施形態は、これに限定されるものではない。第２方向がタイヤ周方向となるように、取付構造体２００がタイヤ１００に接着されてもよい。このようなケースでは、第１方向がタイヤ周方向であり、第２方向がタイヤ幅方向である。
【００９１】
実施形態では、寸法の表現として、「等しい」という用語を用いたが、寸法誤差を許容することが可能であることは勿論である。
【００９２】
実施形態で用いる「所定の剛性」は、台座を構成する部材（弾性部材）の剛性よりも少なくとも大きいことに留意すべきである。
【００９３】
実施形態では、枠体２２０の枠体上面の形状は、矩形形状である。しかしながら、実施形態は、これに限定されるものではない。具体的には、枠体２２０の枠体上面の形状は、三角形状や他の形状であってもよい。
【符号の説明】
【００９４】
１０…ビード部、２０…サイドウォール部、３０…ショルダー部、４０…トレッド部、１００…タイヤ、１１０…ビードコア、１２０…カーカス層、１３０…ベルト層、２００…取付構造体、２１０…台座、２２０…枠体、２２１…底板、２２２…第１壁体、２２３…側壁係止片、２２４…第２壁体、２２５…第２壁体、２３０…基体、２４０…機能部品、２５０…挿入片、２５１…アーム部、２５２…先端折返し片、２５３…連結部、２５４…張り出し部分、２６０…首部
【図１】
0005651535.tif 000002
【図２】
0005651535.tif 000003
【図３】
0005651535.tif 000004
【図４】
0005651535.tif 000005
【図５】
0005651535.tif 000006
【図６】
0005651535.tif 000007
【図７】
0005651535.tif 000008
【図８】
0005651535.tif 000009
【図９】
0005651535.tif 000010
【図１０】
0005651535.tif 000011
【図１１】
0005651535.tif 000012
【図１２】
0005651535.tif 000013
【図１３】
0005651535.tif 000014
【図１４】
0005651535.tif 000015